(57)【特許請求の範囲】
【請求項１】
切欠部が設けられたプリント配線板と、
前記プリント配線板上に設けられるとともに前記プリント配線板と平行な方向に光を照射できる複数の第１の発光ダイオードと、
前記複数の第１の発光ダイオードにそれぞれ対応するように前記切欠部の内側に嵌った複数の受光部と、前記複数の受光部から入った前記光が表示された一つの表示部と、を有した一つのレンズと、
を具備したテレビジョン装置。
【請求項２】
前記プリント配線板は、前記切欠部の周囲を規定した縁部を有し、
前記各第１の発光ダイオードは、前記縁部に設けられた請求項１に記載のテレビジョン装置。
【請求項３】
開口部が設けられるとともに、前記プリント配線板および前記第１の発光ダイオードを内部に収めた筐体を具備し、
前記レンズは、本体を有し、この本体は、下底部で前記受光部と連続するとともに上底部に前記表示部を設けるように錐台形をなして前記開口部に嵌っており、
前記各第１の発光ダイオードは、前記表示部と前記受光部とを結んだ直線上に設けられるとともに、前記表示部に向けて前記光を照射するように設けられた請求項２に記載のテレビジョン装置。
【請求項４】
前記レンズは、前記本体の中心軸に対して略対称形である請求項３に記載のテレビジョン装置。
【請求項５】
前記プリント配線板上に設けられるとともに、前記各第１の発光ダイオードの周囲で前記レンズから外れた部分を取り囲んだシェードを有した請求項４に記載のテレビジョン装置。
【請求項６】
前記プリント配線板上で前記縁部から外れた位置に設けられるとともに、前記プリント配線板と交差する方向に光を照射できる第２の発光ダイオードを具備した請求項５に記載のテレビジョン装置。
【請求項７】
切欠部が設けられたプリント配線板と、
前記プリント配線板上に設けられるとともに前記プリント配線板と平行な方向に光を照射できる複数の第１の発光ダイオードと、
前記複数の第１の発光ダイオードにそれぞれ対応するとともに前記切欠部の内側に嵌った複数の受光部と、前記複数の受光部から入った前記光が表示された一つの表示部と、を有した一つのレンズと、
を具備した電子機器。
【請求項８】
前記プリント配線板は、前記切欠部の周囲を規定した縁部を有し、
前記各第１の発光ダイオードは、前記縁部に設けられた請求項７に記載の電子機器。
【請求項９】
開口部が設けられるとともに、前記プリント配線板および前記第１の発光ダイオードを内部に収めた筐体を具備し、
前記レンズは、本体を有し、この本体は、下底部で前記受光部と連続するとともに上底部に前記表示部を設けるように錐台形をなして前記開口部に嵌っており、
前記各第１の発光ダイオードは、前記表示部と前記受光部とを結んだ直線上に設けられるとともに、前記表示部に向けて前記光を照射するように設けられた請求項８に記載の電子機器。
【請求項１０】
前記レンズは、前記本体の中心軸に対して略対称形である請求項９に記載の電子機器。
【請求項１１】
前記プリント配線板上に設けられるとともに、前記各第１の発光ダイオードの周囲で前記レンズから外れた部分を取り囲んだシェードを有した請求項１０に記載の電子機器。
【請求項１２】
前記プリント配線板上で前記縁部から外れた位置に設けられるとともに、前記プリント配線板と交差する方向に光を照射できる第２の発光ダイオードを具備した請求項１１に記載の電子機器。
【請求項１３】
開口部が設けられた筐体と、
前記筐体の内部に収められたプリント配線板と、
前記プリント配線板上に設けられるとともに前記プリント配線板と平行な方向に光を照射できる複数の第１の発光ダイオードと、
前記複数の第１の発光ダイオードにそれぞれ対応した複数の受光部と、前記複数の受光部から入った前記光が表示された一つの表示部と、下底部で前記受光部と連続するとともに上底部に前記表示部を設けるように錐台形をなして前記開口部に嵌った本体と、を有した一つのレンズと、
を具備し、
前記各第１の発光ダイオードは、前記表示部と前記受光部とを結んだ直線上に設けられるとともに、前記表示部に向けて前記光を照射するように設けられた電子機器。
【請求項１４】
開口部が設けられた筐体と、
前記筐体に収容され、切欠部が設けられたプリント配線板と、
前記プリント配線板の前記切欠部近傍に設けられた複数の第１の発光ダイオードと、
前記プリント配線板の前記切欠部内に少なくとも一部が位置されて前記複数の第１の発光ダイオードにそれぞれ対応した複数の受光部と、前記複数の受光部からの光を前記開口部に導く一つの導光部と、を有したレンズと、
を具備した電子機器。
【発明の詳細な説明】
【技術分野】
【０００１】
本発明の実施形態は、発光ダイオードを有したテレビジョン装置および電子機器に関する。
【背景技術】
【０００２】
テレビ等の電子機器において、ＬＥＤ（発光ダイオード）などの照明を用いてボタン等の操作部分を照らすことがしばしば行なわれる。このような照明は、例えば透光性のあるボタンに対応して設けられており、ボタンの全体または一部を明るく照らすことができる。また、近年では、発光色の異なる複数種類のＬＥＤが市場で流通している。
【先行技術文献】
【特許文献】
【０００３】
【特許文献１】特開２００８−８４９９０号公報
【発明の概要】
【発明が解決しようとする課題】
【０００４】
また、電子機器の状態を表示するために、ＬＥＤ（照明）を用いることもしばしば行なわれる。例えば、電源オンの状態で第１の照明を発光させ、ハードディスクにアクセスした状態において第２の照明を発光させるとともに、さらに無線通信を行う際に第３の照明を発光させ、光ディスクドライブ等を駆動する際に第４の照明を発光させる等である。このように、電子機器の状態を照明等で表示することがユーザにとって便利であるが、一方であまりに多くの照明を配置すると、電子機器の小型化およびケース内部の省スペース化の要請に反することとなり、その塩梅が難しい問題となっている。
【０００５】
本発明は、状態の識別性を向上したテレビジョン装置および電子機器を提供することを目的とする。
【課題を解決するための手段】
【０００６】
実施形態のテレビジョン装置は、切欠部が設けられたプリント配線板と、前記プリント配線板上に設けられるとともに前記プリント配線板と平行な方向に光を照射できる複数の第１の発光ダイオードと、前記複数の第１の発光ダイオードにそれぞれ対応するように前記切欠部の内側に嵌った複数の受光部と、前記複数の受光部から入った前記光が表示された一つの表示部と、を有した一つのレンズと、を具備した。
【図面の簡単な説明】
【０００７】
【図１】第１の実施形態の電子機器の一例であるテレビジョン装置を示した正面図。
【図２】図１に示すテレビジョン装置のプリント配線板の周囲を拡大して示した断面図。
【図３】図２に示すテレビジョン装置のＦ３−Ｆ３線に沿った断面図。
【図４】図３に示すテレビジョン装置のレンズを示した上面図。
【図５】図４に示すレンズの表示部の一部を拡大して示した平面図。
【図６】第１の発光ダイオードの配置の第１の参考例を示した模式図。
【図７】第１の発光ダイオードの配置の第２の参考例を示した模式図。
【図８】第１の実施形態の第１の発光ダイオードの配置を示した模式図。
【図９】第２の実施形態の電子機器の一例であるポータブルコンピュータを示した斜視図。
【図１０】図９に示すポータブルコンピュータのレンズの周囲を拡大して示した側面図。
【図１１】図１０に示すポータブルコンピュータのＦ１１−Ｆ１１線に沿った断面図。
【図１２】図１１に示すポータブルコンピュータのＦ１２−Ｆ１２線に沿った断面図。
【図１３】図９に示すポータブルコンピュータの第２のユニットを分解して示した斜視図。
【図１４】図１３に示すポータブルコンピュータのＡの部分を拡大して示した斜視図。
【発明を実施するための形態】
【０００８】
以下、図１から図８を参照して、電子機器の第１の実施形態について説明する。図１に示すように、本実施形態にかかる電子機器の一例であるテレビジョン装置１１は、長方形の外観を有した薄型の表示装置である。このテレビジョン装置１１は、筐体１２と、筐体１２を支持する脚部１３と、を備えている。図２に示すように、筐体１２には、開口部１４が一対に設けられている。テレビジョン装置１１は、開口部１４にそれぞれ嵌った一対のレンズ１５を有している。
【０００９】
図１、図２に示すように、テレビジョン装置１１は、チューナ基板と、テレビジョン装置１１の各部を統括的に制御するシステム基板２１と、例えば可撓性のあるケーブル等を介してシステム基板２１に電気的に接続されたプリント配線板２２と、平板状のディスプレイ２３と、を筐体１２の内部に備えている。ディスプレイ２３は、例えば、液晶ディスプレイパネルで構成されているが、例えばプラズマディスプレイパネル等、他の種類のディスプレイパネルであってもよい。
【００１０】
図２、３に示すように、テレビジョン装置１１は、ディスプレイ２３の表面を覆った透明な板状のカバー２４と、プリント配線板２２上に設けられた複数の第１の発光ダイオード２５と、第１の発光ダイオード２５の周囲を取り囲んだシェード２６と、第１の発光ダイオード２５とは分離した位置でプリント配線板２２上に設けられた複数の第２の発光ダイオード２７と、を備えている。
【００１１】
プリント配線板２２上には、第１の発光ダイオード２５および第２の発光ダイオード２７の他に複数の回路部品２８が高密度で実装されている。プリント配線板２２には、レンズ１５の受光部１５Ｂの外形に沿って略三角形に設けられた切欠部３１と、切欠部３１の周囲を規定している縁部３２と、が設けられている。
【００１２】
複数の第１の発光ダイオード２５は、プリント配線板２２の縁部３２上に並んで設けられている。本実施形態において、３個の第１の発光ダイオード２５がプリント配線板２２上に配置されているが、その数は３個に限定されるものではない。図２において、最も上側の位置に配置される１つ目の第１の発光ダイオード２５Ａは、例えば、無線ＬＡＮが作動しているときに例えばオレンジ色の光を照射して、ユーザにこれを報知する。また、図２において、中間の位置に配置される２つ目の第１の発光ダイオード２５Ｂは、例えば、内蔵する光ディスクドライブが作動している際に例えば緑色の光を照射して、ユーザにこれを報知するために用いられる。図２において、最も下側の位置に配置される３つ目の第１の発光ダイオード２５Ｃは、例えば、内蔵するハードディスクドライブが駆動されるときに例えば赤色の光を照射して、ユーザにこれを報知するために用いられる。
【００１３】
図２に示すように、各第１の発光ダイオード２５は、レンズ１５の後述する表示部１５Ｃと受光部１５Ｂとを結んだ直線上に設けられている。各第１の発光ダイオード２５は、レンズ１５の表示部１５Ｃのほうに向いて表示部１５Ｃに対向するように設けられている。言い換えると、各第１の発光ダイオード２５は、表示部１５Ｃに向けて光を照射するように設けられている。第１の発光ダイオード２５は、プリント配線板２２と平行な方向に光を照射できるいわゆる側面発光タイプの発光ダイオードである。
【００１４】
図２、図３に示すように、シェード２６は、プリント配線板２２上に設けられており、一対のレンズ１５から外れた位置で、第１の発光ダイオード２５の側面および上面を覆っている。シェード２６には、２個の第１の発光ダイオード２５を収容するように窪んだ第１の収容部２６Ａと、１個の第１の発光ダイオード２５を収容するように窪んだ第２の収容部２６Ｂと、が設けられている。シェード２６は、第１の発光ダイオード２５と第２の発光ダイオード２７との間を仕切っており、例えば、第２の発光ダイオード２７から照射される光が、第１の発光ダイオード２５に対向するレンズ１５に照射されないようにしている。
【００１５】
第２の発光ダイオード２７は、プリント配線板２２上で縁部３２から外れた位置、すなわちプリント配線板２２の略中央部に設けられている。本実施形態において、２個の第２の発光ダイオード２７がプリント配線板２２上に配置されているが、その数は２個に限定されるものではない。第２の発光ダイオード２７は、いわゆる上面発光タイプのもので構成されており、プリント配線板２２の延びている方向とは交差（直交）する方向に光を照射することができる。第２の発光ダイオード２７のうち、一方２７Ａは、例えば、カバー２４を透過するように光を照射して、ユーザに対して電源オンの状態を報知することができる。また、第２の発光ダイオード２７のうち、他方２７Ｂは、例えば、カバー２４を透過するように光を照射して例えば、テレビジョン装置１１が省電力モードにあることをユーザに報知することができる。
【００１６】
図２、図４に示すように、各レンズ１５は、錐台形状の本体１５Ａと、本体１５Ａの下底部から第１の発光ダイオード２５に向けて突出した複数の受光部１５Ｂと、本体１５Ａの上底部にあたる位置に設けられた表示部１５Ｃと、受光部１５Ｂ同士の間の位置に設けられたくさび形の溝部１５Ｄと、を有している。また、本体１５Ａと表示部１５Ｃとによって、受光部１５Ｂから入った光を表示部１５Ｃの表面にまで導くための導光部１５Ｅが構成されている。本体１５Ａ、受光部１５Ｂ、および表示部１５Ｃは、例えば、アクリル系の樹脂等の透明な材料によって一体に成形されている。本体１５Ａは、筐体１２の開口部１４の内側に嵌っている。
【００１７】
図４に示すように、レンズ１５は、本体１５Ａの中心軸３３に対して略対称形（左右対称形）をなしている。本実施形態においてレンズ１５には、２個の受光部１５Ｂが設けられている。図２に示すように、各受光部１５Ｂは、第１の発光ダイオード２５に対応するようにプリント配線板２２の切欠部３１の内側に嵌っている。また、表示部１５Ｃには、受光部１５Ｂから入った第１の発光ダイオード２５からの光が表示される。図５に模式的に示すように、表示部１５Ｃは、表面粗さが大きくなるように表面処理（シボ加工）が施されており、その表面において光を周囲に拡散することができる。
【００１８】
なお、１つ目の第１の発光ダイオード２５Ａからの光は、図２中で上側に示されたレンズ１５の表示部１５Ｃに表示され、２つ目の第１の発光ダイオード２５Ｂおよび３つ目の第１の発光ダイオード２５Ｃからの光は、図２中で下側に示されたレンズ１５の表示部１５Ｃに表示される。このとき、１つ目の第１の発光ダイオード２５Ａは、２つ目の第１の発光ダイオード２５Ｂおよび３つ目の第１の発光ダイオード２５Ｃと同じようにレンズ１５に対して傾けて配置されるため、１つ目の第１の発光ダイオード２５Ａの光量が適切な範囲に調節される。これによって、１つ目の第１の発光ダイオード２５Ａの見え方が他の２つ目の第１の発光ダイオード２５Ｂや３つ目の第１の発光ダイオード２５Ｃの見え方と同じ程度に調整され、ユーザに違和感を生ずることが防止される。
【００１９】
第１の実施形態によれば、テレビジョン装置１１は、切欠部３１が設けられたプリント配線板２２と、プリント配線板２２上に設けられるとともにプリント配線板２２と平行な方向に光を照射できる複数の第１の発光ダイオード２５と、複数の第１の発光ダイオード２５にそれぞれ対応するように切欠部３１の内側に嵌った複数の受光部１５Ｂと、複数の受光部１５Ｂから入った光が表示された一つの表示部１５Ｃと、を有した一つのレンズ１５と、を具備する。
【００２０】
この構成によれば、複数の第１の発光ダイオード２５の光を一つのレンズ１５で表示することができ、レンズ１５の数を削減することができる。これによって、テレビジョン装置１１の内部において、レンズ１５が占めるスペースを削減でき、テレビジョン装置１１の小型化を図ることができる。また、切欠部３１の内側に受光部１５Ｂが嵌っているため、第１の発光ダイオード２５とレンズ１５との距離を極力短くすることができ、第１の発光ダイオード２５からの光が外部に漏れてしまうことを防止できる。また、切欠部３１が設けられているため、レンズ１５とプリント配線板２２とが接触して、テレビジョン装置１１の組み立てがうまくいかなくなる事態を生ずることを防止できる。
【００２１】
また、プリント配線板２２は、切欠部３１の周囲を規定した縁部３２を有し、各第１の発光ダイオード２５は、縁部３２に設けられている。この構成によれば、第１の発光ダイオード２５をレンズ１５の近傍に配置することができ、照明効率を向上できるとともに、周囲への光漏れを少なくすることができる。また、第１の発光ダイオード２５を縁部３２に配置することによって、プリント配線板２２上に広い実装面積を確保することができる。
【００２２】
さらに、テレビジョン装置１１は、開口部１４が設けられるとともに、プリント配線板２２および第１の発光ダイオード２５を内部に収めた筐体１２を具備し、レンズ１５は、下底部で受光部１５Ｂと連続するとともに上底部に表示部１５Ｃを設けるように錐台形をなして開口部１４に嵌った本体１５Ａを有し、各第１の発光ダイオード２５は、表示部１５Ｃと受光部１５Ｂとを結んだ直線上に設けられるとともに、表示部１５Ｃに向けて光を照射するように設けられている。
【００２３】
例えば、図６に模式的に示すように、第１の発光ダイオード２５を筐体１２から遠い位置に配置する場合には、第１の発光ダイオード２５と筐体１２との間に距離が確保されるため、２つの第１の発光ダイオード２５からの光は、２点鎖線で示されるように、開口部１４を通して筐体１２の外部に照射される。しかし、図７に示すように、筐体１２のコンパクト化を推し進めた結果、筐体１２と第１の発光ダイオード２５との間の距離を十分に確保できない場合には、第１の発光ダイオード２５の光は、２点鎖線で示されるように、開口部１４を通ることがなく筐体１２によって遮られてしまう。上記の構成によれば、例えば、図８に示すような状態となり、筐体１２と第１の発光ダイオード２５との間の距離を十分に確保できない場合であっても、表示部１５Ｃに向けて十分な光を照射することができる。これによって、表示部１５Ｃにおける光の視認性の向上とテレビジョン装置１１の筐体１２の小型化とを実現することができる。
【００２４】
また、レンズ１５は、本体１５Ａの中心軸３３に対して略対称形である。この構成によれば、受光部１５Ｂが表示部１５Ｃに対して等しい距離、等しい角度で配置されるため、表示部１５Ｃにおいて、いずれの第１の発光ダイオード２５からの光も同じ見え方にすることができる。
【００２５】
さらに、テレビジョン装置１１は、プリント配線板２２上に設けられるとともに、各第１の発光ダイオード２５の周囲でレンズ１５から外れた部分を取り囲んだシェード２６を有する。この構成によれば、第１の発光ダイオード２５からの光が周囲に拡散してしまうことがなく、照明の効率を向上することができる。
【００２６】
また、テレビジョン装置１１は、プリント配線板２２上で縁部３２から外れた位置に設けられるとともに、プリント配線板２２と交差する方向に光を照射できる第２の発光ダイオード２７を具備する。この構成によれば、プリント配線板２２上の縁部３２に第１の発光ダイオード２５を配置し、縁部３２から外れた位置に第２の発光ダイオード２７を配置するなど、プリント配線板２２上で配置箇所を分けることで、プリント配線板２２上で高密度の実装を実現することができる。
【００２７】
続いて、図９から図１４を参照して、電子機器の第２の実施形態について説明する。第２の実施形態の電子機器の一例であるポータブルコンピュータ４１は、外観が第１の実施形態のテレビジョン装置１１とは異なっているが、主要な構成において第１の実施形態と概ね共通している。このため、主として第１の実施形態と異なる部分について説明し、共通する箇所については共通の符号を付して説明を省略する。
【００２８】
また、以下の実施形態では、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００２９】
図９に示すように、ポータブルコンピュータ４１は、同図中の前方向Ｆに位置した第１のユニット４２と、同図中の後方向Ｒに位置した第２のユニット４３と、第１のユニット４２と第２のユニット４３との間に位置するとともに、これらを回転可能に連結したヒンジユニット４４と、を具備している。
【００３０】
第１のユニット４２は、第１のケース４５と、第１のケース４５に取り付けられた第１のタッチパネル４６と、第１のタッチパネル４６の下方で第１のケース４５の内側に設けられた第１のディスプレイ４７と、を有している。第１のディスプレイ４７は、例えば、液晶ディスプレイで構成されており、第１のタッチパネル４６に隣接した位置に設けられている。また、第１のユニット４２は、第１のタッチパネル４６を間に挟んだ両側に一対の操作ボタン４８を有している。
【００３１】
図９に示すように、第２のユニット４３は、第２のケース５１と、第２のケース５１に取り付けられた第２のタッチパネル５２と、第２のタッチパネル５２の下方で第２のケース５１の内側に設けられた第２のディスプレイ５３と、第２のタッチパネル５２に隣接した位置に設けられたパワーボタン５４と、を有している。パワーボタン５４は、第２のケース５１に設けられた貫通孔５５の内側に嵌って設けられている。筐体１２は、第１のケース４５と第２のケース５１とで構成されている。
【００３２】
図９、図１３に示すように、第２のケース５１は、第２のタッチパネル５２および第２のディスプレイ５３の前面方向の周囲を取り囲んだマスク５１Ａと、第２のタッチパネル５２および第２のディスプレイ５３の背面方向を取り囲んだカバー５１Ｂと、を有している。図１０に示すように、第２のケース５１のカバー５１Ｂには、開口部１４が一対に設けられている。第２のユニット４３は、開口部１４にそれぞれ嵌った一対のレンズ１５を有している。開口部１４およびレンズ１５は、後述するスピーカ５６の近傍に設けられている。また、図１４に示すように、マスク５１Ａは、一対のレンズ１５の外形に対応した一対の凹部５７を有している。各凹部５７は、レンズ１５の受光部１５Ｂの外形に沿うように窪んでおり、この凹部５７の内側に受光部１５Ｂが嵌るようになっている。
【００３３】
図１１、図１２に示すように、第２のユニット４３は、ＣＰＵ等が実装されたシステム基板２１と、システム基板２１と可撓性のケーブル等で電気的に接続されたプリント配線板２２と、プリント配線板２２上に設けられた複数の第１の発光ダイオード２５と、第１の発光ダイオード２５の周囲を取り囲んだシェード２６と、第１の発光ダイオード２５とは分離した位置でプリント配線板２２上に設けられた複数の第２の発光ダイオード２７と、プリント配線板２２上に設けられてパワーボタン５４の押下を検出可能なスイッチ５８と、スピーカ５６と、を第２のケース５１の内部に備えている。
【００３４】
図１１に示すように、プリント配線板２２上には、第１の発光ダイオード２５および第２の発光ダイオード２７の他に複数の回路部品２８が高密度で実装されている。プリント配線板２２には、レンズ１５の受光部１５Ｂの外形に沿って略三角形に設けられた切欠部３１と、切欠部３１の周囲を規定している縁部３２と、が設けられている。
【００３５】
複数の第１の発光ダイオード２５は、プリント配線板２２の縁部３２上に並んで設けられている。本実施形態において、３個の第１の発光ダイオード２５がプリント配線板２２上に配置されているが、その数は３個に限定されるものではない。図１１において、最も上側の位置に配置される１つ目の第１の発光ダイオード２５Ａは、例えば、無線ＬＡＮが作動しているときに例えばオレンジ色の光を照射して、ユーザにこれを報知する。また、図１１において、中間の位置に配置される２つ目の第１の発光ダイオード２５Ｂは、例えば、内蔵するバッテリに充電している際に例えばオレンジ色の光を照射して、ユーザにこれを報知するために用いられる。図１１において、最も下側の位置に配置される３つ目の第１の発光ダイオード２５Ｃは、例えば、内蔵するバッテリの充電が完了している状態（バッテリの電力に残量がある場合）において例えば緑色の光を照射して、ユーザにこれを報知する。
【００３６】
図１１に示すように、各第１の発光ダイオード２５は、レンズ１５の後述する表示部１５Ｃと受光部１５Ｂとを結んだ直線上に設けられている。各第１の発光ダイオード２５は、表示部１５Ｃのほうに向いて表示部１５Ｃに対向するように設けられている。図１２に示すように、第１の発光ダイオード２５は、プリント配線板２２と平行な方向に光を照射できるいわゆる側面発光タイプの発光ダイオードである。
【００３７】
図１１〜図１３に示すように、シェード２６は、一対のレンズ１５から外れた位置で、第１の発光ダイオード２５の側面および上面を覆っている。シェード２６には、２個の第１の発光ダイオード２５を収容するように窪んだ第１の収容部２６Ａと、１個の第１の発光ダイオード２５を収容するように窪んだ第２の収容部２６Ｂと、が設けられている。シェード２６は、第１の発光ダイオード２５と第２の発光ダイオード２７との間を仕切っており、例えば、第２の発光ダイオード２７から照射される光が、第１の発光ダイオード２５に対向するレンズ１５に照射されないようにしている。
【００３８】
図１１に示すように、第２の発光ダイオード２７は、プリント配線板２２上で縁部３２から外れた位置、すなわちプリント配線板２２の略中央部に設けられている。第２の発光ダイオード２７は、スイッチ５８の近傍に設けられている。本実施形態において、２個の第２の発光ダイオード２７がプリント配線板２２上に配置されているが、その数は２個に限定されるものではない。図１２に示すように、第２の発光ダイオード２７は、いわゆる上面発光タイプのもので構成されており、プリント配線板２２の延びている方向とは交差（直交）する方向に光を照射することができる。
【００３９】
図１１に示すように、第２の発光ダイオード２７のうち、一方は、パワーボタン５４を透過するように光を照射して、ユーザに対してポータブルコンピュータ４１が電源オンの状態を報知することができる。また、第２の発光ダイオード２７のうち、他方は、パワーボタン５４を透過するように光を照射して例えば、ポータブルコンピュータ４１が例えばサスペンド（スリープ）状態にあることをユーザに報知することができる。図１２に示すように、パワーボタン５４の表面には表面粗さが大きくなるように表面処理がなされており、第２の発光ダイオード２７からの光を周囲に拡散することができる。
【００４０】
本実施形態のレンズ１５は、図４に示す第１の実施形態のレンズ１５と同形態である。図１１、図１２に示すように、レンズ１５の受光部１５Ｂは、プリント配線板２２の切欠部３１の内側に嵌っている。また、レンズ１５の本体１５Ａは、第２のケース５１の開口部１４の内側に嵌っている。
【００４１】
第２の実施形態によれば、ポータブルコンピュータ４１は、開口部１４が設けられた筐体１２と、筐体１２の内部に収められたプリント配線板２２と、プリント配線板２２上に設けられるとともにプリント配線板２２と平行な方向に光を照射できる複数の第１の発光ダイオード２５と、複数の第１の発光ダイオード２５にそれぞれ対応した複数の受光部１５Ｂと、複数の受光部１５Ｂから入った光が表示された一つの表示部１５Ｃと、下底部で受光部１５Ｂと連続するとともに上底部に表示部１５Ｃを設けるように錐台形をなして開口部１４に嵌った本体１５Ａと、を有した一つのレンズ１５と、を具備し、各第１の発光ダイオード２５は、表示部１５Ｃと受光部１５Ｂとを結んだ直線上に設けられるとともに、表示部１５Ｃに向けて光を照射するように設けられている。
【００４２】
この構成によれば、筐体１２と第１の発光ダイオード２５との間の距離を十分に確保できない場合であっても、表示部１５Ｃに向けて十分な光を照射することができる。これによって、表示部１５Ｃにおける光の視認性の向上とポータブルコンピュータ４１の筐体１２の小型化とを実現することができる。
【００４３】
電子機器は、上記実施形態に示したテレビジョン装置１１、ポータブルコンピュータ４１に限らず、例えば携帯電話機のようなその他の電子機器に対しても当然に実施可能である。また、上記実施形態では、レンズ１５の受光部１５Ｂとプリント配線板２２の切欠部３１との間のクリアランスが考慮されており、受光部１５Ｂの一部が切欠部３１の内側にわずかに嵌るのみであるが、受光部１５Ｂをより一層第１の発光ダイオード２５の近くに配置して、受光部１５Ｂのうち切欠部３１の内側に嵌っている部分を大きくしてもよい。
【００４４】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４５】
１１…テレビジョン装置、１２…筐体、１４…開口部、１５…レンズ、１５Ａ…本体、１５Ｂ…受光部、１５Ｃ…表示部、２２…プリント配線板、２５…第１の発光ダイオード、２６…シェード、２７…第２の発光ダイオード、３１…切欠部、３２…縁部、３３…中心軸、４１…ポータブルコンピュータ
【要約】
【課題】  状態の識別性を向上したテレビジョン装置および電子機器を提供する。
【解決手段】  テレビジョン装置は、切欠部が設けられたプリント配線板と、前記プリント配線板上に設けられるとともに前記プリント配線板と平行な方向に光を照射できる複数の第１の発光ダイオードと、一つのレンズと、を具備した。一つのレンズは、前記複数の第１の発光ダイオードにそれぞれ対応するように前記切欠部の内側に嵌った複数の受光部と、前記複数の受光部から入った前記光が表示された一つの表示部と、を有した。
【選択図】図２【図１】
0004792120.tif 000002
【図２】
0004792120.tif 000003
【図３】
0004792120.tif 000004
【図４】
0004792120.tif 000005
【図５】
0004792120.tif 000006
【図６】
0004792120.tif 000007
【図７】
0004792120.tif 000008
【図８】
0004792120.tif 000009
【図９】
0004792120.tif 000010
【図１０】
0004792120.tif 000011
【図１１】
0004792120.tif 000012
【図１２】
0004792120.tif 000013
【図１３】
0004792120.tif 000014
【図１４】
0004792120.tif 000015